(57)【要約】【課題】異なるネットワークに存在する装置の監視を行うことができ、電子メイルといったメッセージシステムを利用する場合と比較して高い即時性をもって監視する。【解決手段】遠隔監視装置において、第三のネットワークに接続された第一の中継装置（２）と第二の中継装置（３）を有し、第一の中継装置がＷＷＷサーバ（２１）、第一の中継手段（２２）、ページ生成手段（２３）、ファイルシステム（２４）、前記ＷＷＷサーバ、通信手段（２５）を有し、ＷＷＷサーバ（３１）、第二の中継手段（３２）、監視情報取得手段（３３）、ファイルシステム（３４）、通信手段（３５）を備える。【選択図】    図１
2004164477.tif 000002
【特許請求の範囲】
【請求項１】
第一のネットワーク（６）に接続された監視用端末装置（１）から、第二のネットワーク（７）に接続され、端末装置（９）によって操作可能な少なくとも一つの監視対象システム（４）をルータ（５１）（５２）によって接続された第三のネットワーク（８）を介して監視する遠隔監視装置において、
前記第三のネットワークに接続された第一の中継装置（２）と前記第二のネットワークに接続された第二の中継装置（３）を有し、前記第一の中継装置がＨＴＭＬ文書や図画を配布するＷＷＷサーバ（２１）、前記監視用端末装置と前記第二の中継装置との間の通信を中継する第一の中継手段（２２）、前記第一の中継手段の状態に従いＨＴＭＬ文書を生成するページ生成手段（２３）、前記ＷＷＷサーバの配布するＨＴＭＬ文書を保存するファイルシステム（２４）、前記ＷＷＷサーバ、前記第一の中継手段がネットワークを介した通信を行うことを可能とする通信手段（２５）を有し、
前記第二の中継装置がＨＴＭＬ文書や図画を配布するＷＷＷサーバ（３１）、前記第一の中継装置と後述する監視情報取得手段（３３）との間の通信を中継する第二の中継手段（３２）、前記監視対象システムから監視情報を繰り返し取得する監視情報取得手段（３３）、前記ＷＷＷサーバの配布するＨＴＭＬ文書を保存するファイルシステム（３４）、前記ＷＷＷサーバ、前記第二の中継手段、前記監視情報取得手段が前記ネットワークを介して通信を行う事を可能とする通信手段（３５）を有することを特徴とする遠隔監視装置。
【請求項２】
前記第二の中継手段が、前記監視対象システムから取得した監視データを前記監視用端末で表示可能な形式へと変換する変換手段（３６）を有する請求項１記載の遠隔監視装置。
【請求項３】
前記遠隔監視装置を用いた遠隔監視方法において、
前記第二の中継装置に中継要求が入力された場合に、前記第二の中継手段が前記第一の中継装置の第一の中継手段と接続し、前記監視情報取得手段が前記監視対象システムと接続し、
前記監視情報取得手段は、繰り返し前記監視対象システムから取得した監視情報を前記第二の中継手段に送り、
第二の中継手段は、前記監視情報を第一の中継手段との接続を維持したまま第一の中継手段へと繰り返し送信し、
前記監視用端末装置から前記第一の中継装置へ中継要求が入力された場合、前記第一の中継手段が前記第二の中継手段との接続と前記監視用端末装置との接続の間を中継することにより前記監視対象システムを前記監視用端末装置から監視することを特徴とする遠隔監視方法。
【請求項４】
前記第二の中継手段が、前記監視対象システムから取得した監視データを前記監視用端末で表示可能な形式へと変換する変換手段（３６）を有する請求項３記載の遠隔監視方法。
【発明の詳細な説明】
【０００１】
【発明の属する技術分野】
本発明は、監視対象システムの監視データをネットワークを介して監視する遠隔監視装置とその遠隔監視方法に関する。
【０００２】
【従来の技術】
近年、ネットワーク技術の発達と普及により、ネットワークを介して様々な装置の監視や設定が行われるようになってきた。例えば、特開平１１−２３２２０３「ハードウェア装置と遠隔的に対話するための方法および装置」や特開２０００−１９４５８３「監視制御システム、および、そのプログラムが記録された記録媒体」に開示されているものである。
図７は特開平１１−２３２２０３における、教示に従って、ユーザが遠隔地から装置と通信し、装置を制御できるようにするために使用することができるシステムの例を示すブロック図である。図において５１４’はユーザが使用するラップトップ機、５１６’は５１４’上で動作するウェブ・ブラウザ、５１２’はインターネット、８８’はサーバ、５０６’はサーバ８８’上に置かれたＨＴＭＬページ、５０８’はサーバ８８’上で動作するプログラム、５０２’はコンピュータ、５１０’はコンピュータ５０２’上で動作するプログラム、５０４’〜５０４’Ｎは装置である。
特開平１１−２３２２０３は、ウェブ・ブラウザ５１６’を用いてインターネット５１２’を介して装置５０４’〜５０４’Ｎへのデータの送信と結果の取得を行うものである。
【０００３】
まず、ユーザはウェブ・ブラウザ５１６’を用いて、ＨＴＭＬページ５０６’をサーバ８８’から取得する。ＨＴＭＬページ５０６’には、装置５０４’〜５０４  ’Ｎへのデータを入力できるようになっており、ユーザがデータを入力しサーバ８８’のプログラム５０８’へと送信する。プログラム５０８’は受け取ったデータをコンピュータ５０２’上のプログラム５１０’へと送る。プログラム５１０’は受け取ったデータを装置５０４’〜５０４  ’Ｎのいずれかに送り、装置５０４’〜５０４  ’Ｎからの結果を受け取る。受け取ったデータを、プログラム５１０’はサーバ８８’上のプログラム５０８’へと送り返し、更にプログラム５０８’はウェブ・ブラウザへと送り返す。このようにして、装置５０４’〜５０４’Ｎへのデータの送信と結果の取得を行う。
【０００４】
また、図８は特開２０００−１９４５８３における監視制御システムの要部構成を示すブロック図である。図において、２１’は現場設備、２２’は現場設備２１’に接続されたリモートコントローラ、２３’は、複数の場所に分散し現場設備２１’を含む群２’におけるＬＡＮ、２４’は各現場設備を監視制御する中央監視盤、２５’はＷＷＷサーバ、２６’はＬＡＮ２３’とインターネット３’を接続するルータ、４１’も同様なルータ、４２’がユーザの使用するパーソナルコンピュータ、４３’がパーソナルコンピュータ４２’に接続されたＣＲＴである。特開２０００−１９４５８３は図のような構成で現場設備２１’の監視制御を行う。図における監視制御装置２４’は、現場設備２１’から所定の間隔で監視データを収集し蓄積している。ＷＷＷサーバ２６’は収集された監視データを所定の間隔、もしくは、パーソナルコンピュータ４２’からの要求によりＣＧＩプログラムを呼び出すことにより収集しＨＴＭＬ文書としてインターネット３’へと公開するものである（例えば、特許文献１参照）。
【０００５】
【特許文献１】
特開平１１−２３２２０３号公報
【特許文献２】
特開２０００−１９４５８３号公報
【０００６】
【発明が解決するための課題】
上記従来の方法は、ユーザがインターネットを介して、組織内部のネットワーク（以下、ＬＡＮ）に設置されたＷＷＷサーバに接続し、要求を送り、装置の情報を取得するものである。しかしながら、ほとんどの組織ではインターネットとＬＡＮとの間にファイアウォールと呼ばれる装置やソフトウェアを設置し、インターネット側からの接続を厳しく制限している。これは、ＬＡＮに接続された装置へのインターネット側からの悪意を持った操作からの防御や自組織の情報の保護等を目的として行われている。また、多くの組織では、ＬＡＮ内部ではプライベートアドレスと呼ばれるアドレス体系を用いている。
以上のことから、上記従来技術によるインターネットを介した装置の情報の取得は、ほとんどの場合不可能であるという問題がある。
また、電子メイルに代表されるメッセージシステムを利用して装置の情報を監視を行う者に知らせる方法が取られることもあるが、これには即時性で劣ると言う問題や短い時間間隔で装置の情報を観察するといったことが難しいという問題がある。
【０００７】
本発明はこのような問題点を解決するためになされたものであり、その目的とするところは次の点にある。
（１）複数のネットワークから構成され、ネットワーク間にファイアウォールの様な防御機構が存在している場合や組織内のネットワークでプライベートアドレスを用いている場合でも異なるネットワークに存在する装置の監視を行うことができ、電子メイルといったメッセージシステムを利用する場合と比較して高い即時性をもって監視を行えるようにする。
（２）第二の中継装置が、前記監視対象システムから取得した監視データを前記監視用端末で表示可能な書式へと変換する変換手段を有するようにすることで、様々な監視データ形式を持つ監視対象装置の監視を単一の監視用端末装置で監視できるようにする。
【０００８】
【課題を解決するための手段】
上記課題を解決するため請求項１記載の発明は、第一のネットワーク（６）に接続された監視用端末装置（１）から、第二のネットワーク（７）に接続され、端末装置（９）によって操作可能な少なくとも一つの監視対象システム（４）をルータ（５１）（５２）によって接続された第三のネットワーク（８）を介して監視する遠隔監視装置において、
前記第三のネットワークに接続された第一の中継装置（２）と前記第二のネットワークに接続された第二の中継装置（３）を有し、前記第一の中継装置がＨＴＭＬ文書や図画を配布するＷＷＷサーバ（２１）、前記監視用端末装置と前記第二の中継装置との間の通信を中継する第一の中継手段（２２）、前記第一の中継手段の状態に従いＨＴＭＬ文書を生成するページ生成手段（２３）、前記ＷＷＷサーバの配布するＨＴＭＬ文書を保存するファイルシステム（２４）、前記ＷＷＷサーバ、前記第一の中継手段がネットワークを介した通信を行うことを可能とする通信手段（２５）を有し、前記第二の中継装置がＨＴＭＬ文書や図画を配布するＷＷＷサーバ（３１）、前記第一の中継装置と後述する監視情報取得手段（３３）との間の通信を中継する第二の中継手段（３２）、前記監視対象システムから監視情報を繰り返し取得する監視情報取得手段（３３）、前記ＷＷＷサーバの配布するＨＴＭＬ文書を保存するファイルシステム（３４）、前記ＷＷＷサーバ、前記第二の中継手段、前記監視情報取得手段が前記ネットワークを介して通信を行う事を可能とする通信手段（３５）を有するものである。
【０００９】
また請求項２記載の発明は、前記第二の中継手段が、前記監視対象システムから取得した監視データを前記監視用端末で表示可能な形式へと変換する変換手段（３６）を有するものである。
【００１０】
また請求項３記載の発明は、前記遠隔監視装置を用いた遠隔監視方法において、
前記第二の中継装置に中継要求が入力された場合に、前記第二の中継手段が前記第一の中継装置の第一の中継手段と接続し、前記監視情報取得手段が前記監視対象システムと接続し、前記監視情報取得手段は、繰り返し前記監視対象システムから取得した監視情報を前記第二の中継手段に送り、第二の中継手段は、前記監視情報を第一の中継手段との接続を維持したまま第一の中継手段へと繰り返し送信し、前記監視用端末装置から前記第一の中継装置へ中継要求が入力された場合、前記第一の中継手段が前記第二の中継手段との接続と前記監視用端末装置との接続の間を中継することにより前記監視対象システムを前記監視用端末装置から監視することを特徴とするものである。
【００１１】
また請求項４記載の発明は、前記第二の中継手段が、前記監視対象システムから取得した監視データを前記監視用端末で表示可能な形式へと変換する変換手段（３６）を有するものである。
【００１２】
【発明の実施の形態】
以下、本発明における発明の実施の形態について図に基づいて述べる。図１は、本発明における遠隔監視装置の一実施の形態の例を表す図であり本発明による遠隔監視装置の要部構成を表す構成図である。図１において、１は第一のネットワーク６に接続された監視用端末装置であり、図示しない監視者が使用する。監視用端末装置１上では、一般にＷＷＷブラウザと呼ばれる参照プログラム１０１が動作する。なお、監視用端末装置１は複数存在しても良い。第一のネットワーク６は一般にＬＡＮ（Ｌｏｃａｌ  Ａｒｅａ  Ｎｅｔｗｏｒｋ）と呼ばれる形態であり、ルータ５１を介して第三のネットワーク８、例えばインターネット、に接続している。
また、７は第二のネットワークであり、第一のネットワークと同様にＬＡＮの形態をしており、ルータ５２を介して第三のネットワーク８に接続している。第二のネットワーク７には監視の対象となる少なくとも一つの監視対象システム４が接続されている。監視対象システム４はネットワークを介してシステム内の情報のやり取りを行う機能を持っているものである。
第一のネットワーク６および７内では、通常、ネットワークに接続された機器の場所を表すアドレスにプライベートアドレスを用いており、ルータ５１、５２は各ネットワーク内の装置とインターネット上の装置が通信出来るようにアドレス変換を行う。また、通常、ルータ５１、５２は、第三のネットワークからそれぞれのネットワーク内の装置への接続を許さない様になっている。
【００１３】
２は第三のネットワーク８に接続された第一の中継装置であり、ネットワークを介した要求に従って、他のネットワークを介した接続との間で中継動作を行うものである。また、３は、第二のネットワーク７に接続された第二の中継装置であり、ネットワークを介した要求に従って、監視対象システム４から監視情報を取得し、ネットワークを介した接続へと送信するものである。９は、第二のネットワーク７に接続された端末装置であり、監視用端末装置１と同様に参照プログラム９０１が動作している。
【００１４】
次に第一の中継装置２および第二の中継装置３の要部構成について説明する。図１において、２１は監視用端末装置１上で動作しているＷＷＷブラウザ１０１に対して各種文書、特にＨＴＭＬ文書と呼ばれる文書、や図画の配信やＷＷＷブラウザ１０１からのデータの受け取り、ＷＷＷブラウザ１０１からの指示により他のプログラムの起動を行うＷＷＷサーバである。２２は中継手段であり、ネットワークからの中継要求を受けたＷＷＷサーバ２１によって起動され、２つの接続間で送受信の中継を行う。２３はＷＷＷサーバ２１が配信するＨＴＭＬ文書や図画等各種ファイルを保存するファイルシステムである。２４は中継手段２２により起動され、中継要求元や中継手段２２に対する中継要求メッセージが記述された接続用Ｗｅｂページ（ＨＴＭＬ文書）を生成しファイルシステム２３への保存を行ったり、接続用Ｗｅｂページに中継手段の状態の記述を行うページ生成手段である。また、２５はＷＷＷサーバ２１や中継手段２２がネットワークに接続された他の装置と通信を行う際に使用する通信手段である。
【００１５】
図１において、３１はＷＷＷサーバでありＷＷＷサーバ２１と同様の機能を有している。３２は第二の中継手段であり、端末装置９上のＷＷＷブラウザ９０１から発せられる第一の中継装置２への接続要求と監視対象システム４への監視指令を受けたＷＷＷサーバ３１によって起動され、第一の中継装置２へと接続し、監視情報取得手段３３を起動する。第二の中継手段３２は第一の中継装置２２との接続を維持し、監視情報取得手段３３が取得した監視対象システム４の監視情報を第一の中継装置２へと送信する。監視情報取得手段３３は前述の様に第二の中継手段３２により起動され、同時に、監視する監視対象システム４に関する情報を受け取る。その後、監視対象システム４へ監視情報取得メッセージを送信し、その応答として監視情報を受け取り、第二の中継手段３２へと送る。３４は、ＷＷＷサーバ３１が配信するＨＴＭＬ文書や図画を保存しておくファイルシステムである。３５は、ＷＷＷサーバ３１や第二の中継手段３２、監視情報取得手段３３がネットワークに接続した装置と通信するために用いる通信手段である。
【００１６】
以上の構成で監視対象システムの遠隔監視を行う場合について以下に述べる。第一のネットワーク６の監視用端末装置１から監視対象システム４の監視を行う場合、まず、監視対象システム４のユーザが端末装置９のＷＷＷブラウザ９０１を用いて、第二の中継装置３のＷＷＷサーバ３２に接続し、予め作成されファイルシステム３４に保存されている図２の１０の様な監視開始用ＷＥＢページを参照する。図２中の１００１は第一の中継装置２を指定する入力項目であり、ユーザは、第一の中継装置２のネットワーク上の場所、一般にアドレスと言われる、を入力する。
【００１７】
また、１００２は、監視対象となるシステムを指定する項目であり、監視対象システム４や図示しない他の監視対象システムを指定する。監視対象指定項目１００２は、ただ一つの監視対象システムのみを選べるようにしておくと良い。１００３は、監視のための接続ボタンである。接続ボタン１００３が押されると、ＷＷＷブラウザ９０１は接続開始のためのメッセージを作成し、ＷＷＷサーバ３１へと送信する。ここで送信されるメッセージは、第二の中継手段３２の起動指令と第一の中継装置２のアドレス、選択した監視対象システムのアドレスを含んでおり、ＨＴＴＰ（Ｈｙｐｅｒ  Ｔｅｘｔ  Ｔｒａｎｓｆｅｒ  Ｐｒｏｔｏｃｏｌ）のＰＯＳＴメソッドやＧＥＴメソッドを用いてＷＷＷサーバ３１へと送られる。送信されるメッセージの第二の中継手段３２の起動指令は、例えば、ファイルシステム３４上の特定のディレクトリやファイルへのアクセスであったり、Ｃｏｏｋｉｅと呼ばれる技術を用いたもの等幾つか方法があり、どれを用いても良い。
【００１８】
接続開始メッセージを受け取ったＷＷＷサーバ３１がメッセージ中に第二の中継手段３２の起動指令をみつけると第二の中継手段３２を起動し、同時に接続開始メッセージから第一の中継装置のアドレスと監視対象システム４のアドレスを抽出し第二の中継手段３２へと渡す。
ＷＷＷサーバ３１によって起動され、第一の中継装置２のアドレスと監視対象システム４のアドレスを受け取った第二の中継手段３２は第一の中継装置２のＷＷＷサーバ２１へ接続し中継開始要求を送信する。ここで、第二の中継手段３２の送信する中継開始要求は、ＷＷＷサーバ３１への第二の中継手段３２の接続開始メッセージと同様に特定のディレクトリやファイルへのアクセスでも良いし、Ｃｏｏｋｉｅ等を用いても良いし、または、専用のプロトコルを用いる等種々の方法があるが、どれも用いても良い。また、中継開始要求には、第二の中継装置３のアドレスや名称、監視対象システム４のアドレスや名称を含めると良い。中継開始要求メッセージを送信した後、第二の中継手段３２は、後述する様な監視情報取得手段３３の起動を行った後、接続を保ちつつ第一の中継手段２２からの送信開始メッセージの待ち状態になる。
【００１９】
中継開始要求を受け取った第一の中継装置２のＷＷＷサーバ２１は、第一の中継手段２２を起動し、中継開始要求メッセージ中の第二の中継装置３のアドレスや名称等の情報を第一の中継手段２２へと渡す。第一の中継手段２２は、第二の中継手段３２との接続を保ちつつ、ページ生成手段２４を起動して図３に示す様な接続待ちＷＥＢページ１１を作成しファイルシステム２３へと保存させる。その後、第一の中継手段２２は監視用端末装置１からの接続待ち状態となる。
第一の中継装置２へ中継開始要求を送信した第二の中継手段３２は監視情報取得手段３３を起動し、ＷＷＷサーバ３１から受け取った監視対象システム４のアドレスを渡す。
起動した監視情報取得手段３３は第二の中継手段３２から受け取った監視対象システム４のアドレスを用いて監視対象システム４へ監視情報取得メッセージを送信し、その応答として監視対象システム４の監視情報を取得する。監視対象システム４に対する監視情報取得の手順は監視情報取得手段３３が有する様にしても良いし、あるいは、例えばファイルシステム３４に保存し、監視情報取得手段３３が読み出す様にしても良い。監視情報取得手段３３は取得した監視対象システム４の監視情報を第二の中継手段３２へと送る。なお、この時点で監視情報取得手段は監視対象システム４からの監視情報取得を開始せず第二の中継装置３２からの監視情報取得開始メッセージを待つ状態になる。
【００２０】
以上の操作が終了した時点で、第一の中継装置２の第一の中継手段２２と第二の中継装置３の第二の中継手段３２間での接続が確立しており、監視対象システム４の監視情報は監視情報取得手段３３、第二の中継手段３２、通信手段３４、第二のネットワーク７、ルータ５２、第三のネットワーク８を介して第一の中継装置２の第一の中継手段２２へと送信が可能な状態となっている。なお、この時点で第一の中継手段２２は監視用端末装置１からの接続待ち、第二の中継手段３２は第一の中継手段２２からの送信開始メッセージ待ち、監視情報取得手段３３は監視情報取得開始メッセージ待ちの状態である。
【００２１】
次に、監視対象システム４の監視情報を参照するために監視用端末装置１のＷＷＷブラウザ１０１を用いて第一の中継手段２２へと接続する操作を行う。ＷＷＷブラウザ１０１を用いて接続待ちＷｅｂページ１１を参照し、監視対象システム４への監視開始リンク１１０１をクリックすることにより、ＷＷＷサーバ２１を介して第一の中継手段２２へ監視対象システム４と監視用端末装置１間の中継開始要求が送られる。中継開始要求を受け取った第一の中継手段２２は、第二の中継手段３２へ送信開始メッセージを送信し、監視用端末装置１と第二の中継手段３２間の中継動作を開始する。
送信開始メッセージを受け取った第二の中継手段３２は、監視情報取得手段３３へと監視情報取得開始メッセージを送り、監視情報取得手段３３と第一の中継手段２２間の中継動作を開始する。監視情報取得開始メッセージを受け取った監視情報取得手段３３は監視対象システム４からの監視情報の取得と第二の中継手段３２への送信を繰り返し行う。
【００２２】
なお、第二の中継手段３２が送信開始メッセージを受け取り、中継動作を開始する際に、図４に示すＨＴＴＰヘッダを第一の中継手段２２へと送信する。また、監視情報取得手段３３は、取得した監視情報を第二の中継手段３２へ送る際に、図５に示す情報を監視情報の前に付加する。
以上のようにして、監視情報取得手段３３が繰り返し取得した監視対象システム４の監視情報を第二の中継手段３２、第一の中継手段２２等を介して監視用端末装置１へと送信し続けることで、監視用端末装置１の  ＷＷＷブラウザ１０１で監視対象システム４を監視することが出来る。
【００２３】
監視対象システム４が監視情報の形式として、一般にテキスト形式と呼ばれる形式を用いている場合は、本実施の形態の様にすることでＷＷＷブラウザ１０１で表示することが出来るが、ＷＷＷブラウザで表示出来ない形式、例えば数値コード、を用いた場合、ＷＷＷブラウザで表示することが出来ない。そのため、図６に示す様に第二の中継装置３に監視情報変換手段３６を設け、監視情報取得手段３３が取得した監視情報をＷＷＷブラウザで表示出来る様に変換すると良い。また、監視情報変換手段３６では、ＷＷＷブラウザ１０１上で監視情報が見やすくなるようにＨＴＭＬ文章への変換を行わせても良い。
【００２４】
【発明の効果】
以上述べたように、本発明は複数のネットワークから構成され、ネットワーク間にファイアウォールの様な防御機構が存在している場合や組織内のネットワークでプライベートアドレスを用いている場合でも異なるネットワークに存在する装置の監視を行うことができ、電子メイルといったメッセージシステムを利用する場合と比較して高い即時性をもって監視を行うことができる効果がある。
また、前記第二の中継装置が、前記監視対象システムから取得した監視データを前記監視用端末で表示可能な書式へと変換する変換手段を有するようにすることで、様々な監視データ形式を持つ監視対象装置の監視を単一の監視用端末装置で監視できる効果がある。
【図面の簡単な説明】
【図１】本発明による遠隔監視装置の要部構成を表す構成図
【図２】監視開始用ＷＥＢページの一例を示す図
【図３】接続待ちＷＥＢページの一例を示す図
【図４】監視情報取得手段によるヘッダ１
【図５】監視情報取得手段によるヘッダ２
【図６】監視情報取得手段を有する遠隔監視装置の要部構成を表す構成図
【図７】従来例を示す図１
【図８】従来例を示す図２
【符号の説明】
１  監視用端末装置
１０１  参照プログラム（ＷＷＷブラウザ）
２  第一の中継装置
２１  ＷＷＷサーバ
２２  第一の中継手段
２３  ファイルシステム
２４  ページ生成手段
２５  通信手段
３  第二の中継装置
３１  ＷＷＷサーバ
３２  第二の中継手段
３３  監視情報取得手段
３４  ファイルシステム
３５  通信手段
３６  監視情報変換手段
４  監視対象システム
５１、５２  ルータ
６  第一のネットワーク
７  第二のネットワーク
８  第三のネットワーク
９  端末装置
９０１  参照プログラム（ＷＷＷブラウザ）
１０  監視開始用  ＷＥＢページ
１００１  第一の中継装置を指定する入力項目
１００２  監視対象システムを指定する項目
１００３  接続ボタン
１１  接続待ち  ＷＥＢページ
１１０１  監視開始のためのリンク
５０２’  コンピュータ
５０４’〜５０４Ｎ  ’  装置
５０６’  ＨＴＭＬページ
５０８’  プログラムＢ
５１０’  プログラムＢ
５１２’  インターネット
５１４’  ラップトップ機
５１６’  ウェブ・ブラウザ
８８’  サーバ
２’  群
２１’  現場設備
２２’  リモートコントローラ
２３’  ＬＡＮ
２４’  中央監視盤
２５’  ＷＷＷサーバ
２６’  ルータ
３’  インターネット
４１’  ルータ
４２’  パーソナルコンピュータ
４３’  ＣＲＴ
【図１】
2004164477.tif 000003
【図２】
2004164477.tif 000004
【図３】
2004164477.tif 000005
【図４】
2004164477.tif 000006
【図５】
2004164477.tif 000007
【図６】
2004164477.tif 000008
【図７】
2004164477.tif 000009
【図８】
2004164477.tif 000010